(57)【特許請求の範囲】
【請求項１】
オフセット輪転印刷機により巻取紙に印刷して印刷物を製造する印刷物の製造方法であって、
前記巻取紙をオフセット輪転印刷機に給紙する給紙工程と、
給紙された前記巻取紙に輪転印刷する印刷工程と、
前記印刷工程後の前記巻取紙の全幅に帯電防止剤を含む水溶液を塗工する塗工工程と、
前記水溶液が塗工された巻取紙を裁断する裁断工程と、を備え、
前記水溶液は、帯電防止剤としてのカチオン界面活性剤と、抗菌剤としての銀イオン抗菌剤を添加したものであることを特徴とする印刷物の製造方法。
【請求項２】
印刷された前記巻取紙を加熱乾燥する乾燥工程をさらに含み、
前記塗工工程は、前記乾燥工程の後に行われる工程であることを特徴とする請求項１に記載の印刷物の製造方法。
【発明の詳細な説明】
【技術分野】
【０００１】
本発明は、巻取紙に印刷するオフセット輪転印刷機を用いた印刷物の製造方法に関する。
【背景技術】
【０００２】
従来より、巻取紙に印刷を行うオフセット輪転印刷は、印刷後に、乾燥冷却を行い、その後シリコンコーターで帯電防止剤を含む水溶液を塗工し、折り機又はシーターを用いて巻取紙を加工及び断裁することで、印刷物の帯電防止効果を高め、切断後の印刷物同士がくっつき、排紙経路上に詰まる等のトラブル発生を防止する。また、印刷物に耐コスレ性、耐ひじわ性、及び滑り性を与えて、コスレ汚れの発生を抑制し、印刷物の加工作業を行いやすくしている（特許文献１参照）。
【０００３】
また、枚葉紙に印刷を行うオフセット枚葉印刷において、印刷物に抗菌機能を付加するために、紙基材の表面にオフセット印刷方式で絵柄印刷層を印刷し、絵柄印刷層を設けた面全面に抗菌剤を含有する透明オフセットインキ層を印刷する商業印刷物が提案されている（特許文献２参照）。
【先行技術文献】
【特許文献】
【０００４】
【特許文献１】特開２００９−７２９７９号公報
【特許文献２】特開２０１０−１９４７２３号公報
【発明の概要】
【発明が解決しようとする課題】
【０００５】
上述のように、例えば、オフセット枚葉印刷においては、１枚づつの枚葉紙を給紙して、各色の印刷ユニットを通過させた後に、透明な抗菌剤含有インキを印刷する印刷ユニットを通過させることで、抗菌性を有する印刷物を得ることができる。すなわち５色機を用いて、４色のカラー印刷にプラスして抗菌剤を塗布することで、抗菌性を有する印刷物を得るものである。
【０００６】
一方、巻取紙に印刷を行うオフセット輪転印刷においては、４色機が主流であり、抗菌剤を印刷する印刷ユニットを追加することは困難である。
【０００７】
そこで本発明は、巻取紙に印刷を行うオフセット輪転印刷において、抗菌性及び抗ウイルス性を有する印刷物を製造する印刷物の製造方法を提供することを目的とする。
【課題を解決するための手段】
【０００８】
本発明の印刷物の製造方法は、オフセット輪転印刷機により巻取紙に印刷して印刷物を製造する印刷物の製造方法であって、前記巻取紙をオフセット輪転印刷機に給紙する給紙工程と、給紙された前記巻取紙に輪転印刷する印刷工程と、前記印刷工程後の前記巻取紙の全幅に帯電防止剤を含む水溶液を塗工する塗工工程と、前記水溶液が塗工された巻取紙を裁断する裁断工程と、を備え、前記水溶液は、帯電防止剤としてのカチオン界面活性剤と、抗菌剤としての銀イオン抗菌剤を添加したものであることを特徴としている。
【０００９】
本発明の印刷物の製造方法は、印刷された前記巻取紙を加熱乾燥する乾燥工程をさらに含み、前記塗工工程は、前記乾燥工程の後に行われる工程であることを特徴としている。
【発明の効果】
【００１１】
本発明の印刷物の製造方法によると、オフセット輪転印刷において、印刷工程の後に必要となる帯電防止剤を塗工する塗工工程において、塗工する水溶液に帯電防止剤に加えて抗菌剤を含有させているので、一般的なオフセット輪転印刷機に設けられているシリコンコーター等の塗工装置を用いて、新たな工程を増やすことなく、巻取紙に、帯電防止加工と同時に、抗菌加工することができる。したがって、オフセット輪転印刷のメリットである印刷の高速性を低下させることなく、抗菌機能を有する高機能な印刷物を製造することができる。
【００１２】
本発明の印刷物の製造方法は、印刷された前記巻取紙を加熱乾燥する乾燥工程をさらに含むので、巻取紙を乾燥させたのちに水溶液を塗工することができ、オフセット輪転印刷の高速性を損なうことなく印刷物を製造することができる。
【００１３】
本発明の印刷物の製造方法によると、塗工工程で塗工される水溶液は、帯電防止剤としてのカチオン界面活性剤と、抗菌剤としての銀イオン抗菌剤を添加したものであるので、コスレやひじわを防止し、高い滑り性を有し、優れた帯電防止機能及び抗菌機能を有する印刷物を製造することができる。
【図面の簡単な説明】
【００１４】
【図１】オフセット輪転印刷機の全体構成を説明する簡略断面図。
【図２】印刷物の製造方法により製造された印刷物の構成を示す簡略断面図。
【図３】印刷物の製造方法の処理の一例を示すフローチャート。
【発明を実施するための形態】
【００１５】
以下、本発明に係る印刷物の製造方法の実施形態について、各図を参照しつつ説明する。本実施形態に係る印刷物の製造方法は、オフセット輪転印刷機１によりロール状に巻き取られた巻取紙２に印刷して印刷物を製造する方法である。印刷物の製造方法は、図１及び図３に示すように、巻取紙２をオフセット輪転印刷機１に給紙する給紙工程（Ｓ１０１）と、給紙された巻取紙２に輪転印刷する印刷工程（Ｓ１０２）と、印刷された巻取紙２を加熱乾燥する乾燥工程（Ｓ１０３）と、加熱乾燥された巻取紙２を冷却する冷却工程（Ｓ１０４）と、乾燥工程後の巻取紙２の全幅に帯電防止剤を含む水溶液３を塗工する塗工工程（Ｓ１０５）と、水溶液３が塗工された巻取紙２を裁断する裁断工程（Ｓ１０６）と、巻取紙２を裁断して形成された印刷物１８を加工する加工工程（Ｓ１０７）と、を備える。なお、加熱乾燥する乾燥工程（Ｓ１０３）及び冷却工程（Ｓ１０４）は必ずしも必須ではなく、例えば浸透乾燥やＵＶによる硬化などの他の方法によって巻取紙２にインクを定着させるものであってもよい。
【００１６】
そして、このような印刷物の製造方法に用いるオフセット輪転印刷機１は、給紙部４と、複数の印刷ユニット５と、乾燥装置６と、冷却装置７と、ロールコーター８と、折り機９と、が、巻取紙２の進行方向に沿って順に並んで形成されている。
【００１７】
給紙工程（Ｓ１０１）が行われる給紙部４は、巻取紙２のロールが装填され、当該ロールから繰り出された巻取紙２を印刷ユニット５に送り込んでいる。給紙部４は印刷ユニット５に送り込まれる巻取紙２のスピードや張り、位置を調節して一定に保つことで、巻取紙２のブレやシワを防止している。
【００１８】
印刷工程（Ｓ１０２）が行われる印刷ユニット５は、印刷デザインの色成分をシアン、マゼンタ、イエロー、ブラックの４色に分離して作成された版下原稿を印刷版に描画し、当該印刷版を巻き付けて装着する版胴１０と、当該版胴１０に巻き付けられた印刷版の画像を転写するゴムが巻きつけられたブランケット胴１１と、を有する。版胴１０及びブランケット胴１１は、当該印刷ユニット５を通過する巻取紙２の表面側と裏面側にそれぞれ配置される。印刷工程は、表面側のブランケットと裏面側のブランケット胴１１との間に巻取紙２を通過させて巻取紙２の両面にインキ画像１２を転写する。
【００１９】
具体的には、印刷版に図示しない水着ローラで水を供給し、図示しないインキ着ローラでインキを供給しながら、版胴１０を回転させ、当該版胴１０の回転に従ってブランケット胴１１を回転させることにより、版胴１０の表面に巻きつけられた印刷版に付着したインキをブランケット胴１１に転写し、当該インキをブランケット胴１１から巻取紙２に更に転写する。なお、本実施形態のオフセット輪転印刷機１においては、印刷ユニット５は、ブラック、シアン、マゼンタ、イエロー、の４色が順に並べて配置されており、印刷工程（Ｓ１０２）は、搬送される巻取紙２にそれぞれの印刷ユニット５において各色順次重ね刷りしてインキ画像１２を形成する工程である。なお、本発明におけるオフセット輪転印刷機１はこれに限定されるものではなく、例えば５色重ね刷り印刷するものであってもよく、又は単色のみの印刷をするものであってもよい。また、本実施形態においては巻取紙２の両面にそれぞれ画像を印刷しているが、片面のみ画像を印刷するものであってもよい。
【００２０】
乾燥工程（Ｓ１０３）が行われる乾燥装置６は、例えば、印刷後の巻取紙２の搬送通路の一部を覆うケーシング１３と、加熱するためのバーナー１４と、熱空気を巻取紙２に向けて噴き出すノズル１５とを有している。バーナー１４はケーシング１３内の空気を、例えば摂氏２００度に加熱して、熱空気を生成する。そして、巻取紙２の搬送経路の上側と下側に配置されたノズル１５に、当該熱空気を供給し、巻取紙２の搬送経路に向けてノズル１５から加熱空気を吹き出す。乾燥装置６には、インキを乾燥する際に発生する気化した溶剤を含む排気ガスを処理する排ガス処理部１６が設けられており、当該排ガスは白金を触媒として燃焼処理されている。
【００２１】
冷却工程（Ｓ１０４）が行われる冷却装置７は、巻取紙２の搬送用ローラーに冷却水を供給して冷却するクーリングロール方式や、巻取紙２に冷風を吹き付けて冷却する冷風吹きつけ方式、等の巻取紙２を冷却する公知の冷却装置である。
【００２２】
なお、前述のとおり、印刷物の製造方法は、乾燥工程（Ｓ１０３）及び冷却工程（Ｓ１０４）に替えて、予め印刷工程（Ｓ１０２）において、ＵＶ硬化インクを用いて印刷しておき、紫外線の照射によりインクを硬化させる工程であってもよい。また、加熱乾燥に替えて、インクを巻取紙２に浸透させる浸透乾燥であってもよい。
【００２３】
塗工工程（Ｓ１０５）が行われるロールコーター８は、巻取紙２の全幅にわたって、水溶液３を塗工してコート層１７を形成するものである。水溶液３を塗布する方式については、巻取紙２の全幅にわたって必要な量の塗布が可能な方法であれば、塗布量前計量、後計量方式、転写方式、押し出し方式など従来公知の塗布方法を適宜使用できる。水溶液３は、本実施形態においては、水に帯電防止剤及び抗菌剤が添加されている。帯電防止剤は、例えばカチオン界面活性剤である。帯電防止剤はこれに限定されるものではなく、印刷物の表面に僅かな導電性を付与することで、静電気の蓄積を防止することができる種々の薬剤を用いることができる。
【００２４】
また、抗菌剤は、本実施形態においては、好ましくは銀イオンを含有させたゼオライトの水分散体である。広範囲の菌やウイルスに対する抗菌・抗ウイルス機能を有し、抗菌機能の持続性も高い。なお、抗菌剤は、これに限定されるものではなく、例えば、銅、亜鉛などの他の抗菌性能を有する金属系の抗菌剤であってもよく、酸化チタン光触媒などの光触媒系抗菌剤であってもよい。また、無機系抗菌剤に限定されるものではなく、例えばベンザルコニウム、セチルピリジニウムなど物質をインターカレート又はイオン交換する有機系抗菌剤を用いてもよい。なお、水溶液は上述のものに限定されるものではなく、例えばシリコーンエマルジョン水溶液に、帯電防止剤及び抗菌剤が添加されたものであってもよい。
【００２５】
以上のように、巻取紙２は、図２に示すように、巻取紙２の表面及び裏面に転写されたインキ画像１２を覆うように、巻取紙２の表面及び裏面の全面が帯電防止性及び抗菌性を有する水溶液３によりコーティングされコート層１７が形成される。このように水溶液３によりコート層１７が形成されることで、印刷物１８に耐コスレ性、耐ひじわ性、及び滑り性が与えられるので、裁断・加工工程（Ｓ１０６、Ｓ１０７）において、ひじわやコスレ汚れの発生を抑制し、印刷物１８の加工作業を行いやすくすることができる。また、印刷した巻取紙２を裁断し加工する際に、静電気を帯びていると、裁断した印刷物１８同士がくっつき、印刷物１８の加工経路上に詰まる等のトラブルが発生しうるが、上述の塗工工程を経て製造される印刷物１８は帯電防止性を有するので上述のトラブルの発生を抑制できる。そして、抗菌剤を添加したことで優れた抗菌性及び抗ウイルス性を有する印刷物１８を製造することができる。
【００２６】
このように、ロールコーター８を用いた塗工工程（Ｓ１０５）において、水溶液３に、帯電防止剤及び抗菌剤を添加して、塗工することで、１つの塗工工程で印刷物１８に滑り性や耐コスレ性、耐ひじわ性、帯電防止性、抗菌性等の様々な機能を付加することができ、一般的なオフセット輪転印刷機１に設けられているシリコンコーター等の塗工装置を用いて、新たな工程を増やすことなく、巻取紙２に、帯電防止加工と抗菌加工とを同時に行うことができる。したがって、オフセット輪転印刷のメリットである印刷の高速性を低下させることなく、抗菌機能を有する高機能な印刷物１８を製造することができる。
【００２７】
なお、本実施形態においては、塗工工程（Ｓ１０５）が加熱乾燥する乾燥工程（Ｓ１０３）よりも後工程として設けられることで、当該乾燥工程（Ｓ１０３）においては、シリコーン化合物が飛散することがなく、乾燥工程（Ｓ１０３）における排ガス処理部１６の排ガスの無臭化処理に用いられる燃焼触媒としての白金触媒がシリコーン化合物により被毒して失活させることを防止できる。
【００２８】
裁断工程（Ｓ１０６）及び加工工程（Ｓ１０７）は、本実施形態においては折り機９が行う工程である。なお、裁断工程（Ｓ１０６）及び加工工程（Ｓ１０７）を別々の装置が行うものとしてもよい。裁断工程（Ｓ１０６）は、印刷された巻取紙２を所定間隔で裁断して、予めデザインされた通りの印刷物１８を得る。裁断工程（Ｓ１０６）は、巻取紙２を幅方向に裁断して枚葉紙とするものであるが、印刷物１８のデザインによってさまざまな裁断を行ってもよい。また、加工工程（Ｓ１０７）は、裁断された印刷物１８を、チョッパ折する等の加工を行う。加工工程（Ｓ１０７）は、これに限られるものではなく、例えば、ミシン目加工や、付加的なシールなどを貼り付ける工程を備えるものであってもよい。
【００２９】
以上のように本実施形態の印刷物の製造方法によると、一般的な４色刷りのオフセット輪転印刷機１を用いて、新たな工程を追加することなく、抗菌・抗ウイルス機能を追加した印刷物１８を製造することができる。
【００３０】
なお、本発明の実施の形態は上述の形態に限ることなく、本発明の思想の範囲を逸脱しない範囲で適宜変更することができることは云うまでもない。
【産業上の利用可能性】
【００３１】
本発明に係る印刷物の製造方法は、例えば商業印刷や様々な印刷加工品において、抗菌・抗ウイルス機能を有する印刷物１８及び印刷加工品として好適に用いることができる。
【符号の説明】
【００３２】
１        オフセット輪転印刷機
２        巻取紙
３        水溶液
Ｓ１０１  給紙工程
Ｓ１０２  印刷工程
Ｓ１０３  乾燥工程
Ｓ１０５  塗工工程
Ｓ１０６  裁断工程
【要約】
【課題】  巻取紙に印刷を行うオフセット輪転印刷において、抗菌性を有する印刷物を製造する印刷物の製造方法を提供する。
【解決手段】印刷物の製造方法は、オフセット輪転印刷機１により巻取紙２に印刷して印刷物を製造する印刷物の製造方法であって、前記巻取紙２をオフセット輪転印刷機１に給紙する給紙工程（Ｓ１）と、給紙された前記巻取紙２に輪転印刷する印刷工程（Ｓ２）と、前記印刷工程後の前記巻取紙２の全幅に帯電防止剤を含む水溶液３を塗工する塗工工程（Ｓ５）と、前記水溶液３が塗工された巻取紙２を裁断する裁断工程（Ｓ６）と、を備え、前記水溶液３は、前記帯電防止剤に加えて抗菌剤を含有する。
【選択図】図１【図１】
0006923286.tif 000002
【図２】
0006923286.tif 000003
【図３】
0006923286.tif 000004